(57)【要約】【目的】砂利や小石等の異物を確実に捕捉する、と同時に、仮に目詰まりしても雨水管へ水を流せるようにする。【構成】地下構造物の開口内に設置される集塵中蓋２１である。開口内に配置して、開口内をほぼ覆える大きさを有する中蓋本体を具備し、中蓋本体は砂利や小石等の異物を捕捉し水を通過させる通水捕捉部２２を有する底板部２３と、底板部２３が目詰まりした場合に下流に水を流すために底板部２３に形成された開口部２６と、開口部２６において水をオーバーフローさせるために、少なくとも開口部２６を囲むように設けた立ち上がり部２７とによって構成されている。【選択図】        図１
2004183370.tif 000002
【特許請求の範囲】
【請求項１】
地下構造物の開口に流入する水によって運ばれて来た砂利や小石等の異物を除去するために、上記開口内に設置される集塵中蓋であって、開口内に配置して、開口内をほぼ覆える大きさを有する中蓋本体を具備し、中蓋本体は、砂利や小石等の異物を捕捉し水を通過させる通水捕捉部を有する底板部
と、底板部が目詰まりした場合に下流に水を流すために底板部に形成された開口部と、開口部において水をオーバーフローさせるために、少なくとも開口部を囲むように設けた立ち上がり部とによって構成されていることを特徴とする地下構造物用集塵中蓋。
【請求項２】
底板部は、中央に開口部を有しその縁に沿う内側の立ち上がり部を有するとともに、底板部の外周に沿う外側の立ち上がり部を有している請求項１記載の地下構造物用集塵中蓋。
【請求項３】
内側の立ち上がり部には、砂利や小石等の異物を捕捉し水を通過させる通水口が形成されている請求項２記載の地下構造物用集塵中蓋。
【請求項４】
底板部は、部分的に低く形成された段状の凹部を有してお
り、凹部が砂利や小石等の異物の収容部となっている請求項１ないし３のいずれかに記載の地下構造物用集塵中蓋。
【請求項５】
底板部の凹部に開口部が形成されている請求項４記載の地下構造物用集塵中蓋。
【請求項６】
中蓋本体は、地下構造物の開口内に着脱可能に取り付けられるものであって、上記開口内に存在する凹凸構造を係合相手とする係合部を中蓋本体の外周部分に有している請求項１記載の地下構造物用集塵中蓋。
【請求項７】
集水を主目的とするが落ち葉類を捕捉可能な集水口を有し、地下構造物の開口に設置する集水蓋と、集水蓋の下方の開口内に配置して、開口内をほぼ覆える大きさを有する中蓋本体を具備し、中蓋本体は、砂利や小石等の異物を捕捉し水を通過させる通水捕捉部を有する底板部と、底板部が目詰まりした場合に下流に水を流すために底板部に形成された開口部と、開口部において水をオーバーフローさせるために、少なくとも開口部を囲むように設けた立ち上がり部とによって構成された集塵中蓋とから成ることを特徴とする集水集塵装置。
【発明の詳細な説明】
【０００１】
【発明の属する技術分野】
本発明は、地下構造物の開口に流入する水によって運ばれて来た砂利や小石等の異物を除去するために、上記開口内に設置される集塵中蓋及び集水集塵装置に関するものである。
【０００２】
【従来の技術】
降雨を主な原因とする地表の水は、路面等に設置されている集水蓋に設けられた取り入れ口から集水され、雨水管によって河川等に直接放流される。したがって集水蓋は相対的に低い場所に設置され、水以外の異物も水とともに取り入れ口に流入する。これらの異物のうち、落ち葉類は管路を詰まらせるが比較的対策を講じやすいのに対して、砂利や小石等は雨水管網の途中にある揚水ポンプ等に入り込むとポンプ等を破壊するという問題を引き起こす。しかし、小さいため捕捉が困難である。
【０００３】
このような場合に適用可能なものとして、例えば特開平１１−３２４０９５号のゴミ捕集機能付き集水桝蓋のように、篭を用いた例が知られている。しかし単なる篭では落ち葉類が流れ込むと簡単に目詰まりをおこすため頻繁に掃除を心懸ける必要があった。これは、例えばパンチングメタル製の板を用いた場合も同様であり、より目詰まりを起こしやすくなる。といって、マンホール等に用いられる転落防止カバーの類では目詰まりの心配が少なくても、粗いメッシュが普通であるから砂利や小石等を捕捉することは期待できない。
【０００４】
【発明が解決しようとする課題】
本発明は前記の点に着目してなされたもので、その課題は砂利や小石等の異物を確実に捕捉することができる、と同時に、仮に目詰まりした場合でも雨水管へ水を流すことができるようにすることである。また本発明の他の課題は、落ち葉類のように比較的粗大な異物とともに、砂利や小石等の比較的微小な異物を効果的に捕捉することである。
【０００５】
【課題を解決するための手段】
前記の課題を解決するため、本発明の地下構造物用集塵中蓋は、開口内に配置して、開口内をほぼ覆える大きさを有する中蓋本体を具備し、中蓋本体は、砂利や小石等の異物を捕捉し水を通過させる通水捕捉部を有する底板部と、底板部が目詰まりした場合に下流に水を流すために底板部に形成された開口部と、開口部において水をオーバーフローさせるために、少なくとも開口部を囲むように設けた立ち上がり部とによって構成されるという手段を講じたものである。
【０００６】
また本発明に係る集水集塵装置については、これを、集水を主目的とするが落ち葉類を捕捉可能な集水口を有し、地下構造物の開口に設置する集水蓋と、集水蓋よりも下流の開口内に配置して、開口内をほぼ覆える大きさを有する中蓋本体を具備し、中蓋本体は、砂利や小石等の異物を捕捉し水を通過させる通水捕捉部を有する底板部と、底板部が目詰まりした場合に下流に水を流すために底板部に形成された開口部と、開口部において水をオーバーフローさせるために、少なくとも開口部を囲むように設けた立ち上がり部とによって構成された集塵中蓋とから成るものであることが望ましい。
【０００７】
【発明の実施の形態】
本発明の集塵中蓋は、地下構造物の開口に流入して来る水によって運ばれて来た砂利、小石等の異物を除去するために、上記開口内に設置される。地下構造物には、所謂マンホールやハンドホールを構成するもの、及びグレーチングやコンクリート蓋などで覆われるものが含まれる。また、砂利や小石等の異物とは砂利や小石のように硬く、ポンプ等に入り込むと破壊を招く原因となるものを意味しており、他には、砕石、岩石のかけら、ガラス片、金属部品、金属の小片その他が含まれる。
【０００８】
この集塵中蓋は、地下構造物の開口部分内部に配置して、開口内をほぼ覆える大きさを有する中蓋本体を具備する。中蓋本体は開口内をほぼ覆うことによって水とともに流れて来る砂利や小石等の異物を捕捉し、水を通過させる。なお地下構造物の開口内に、例えばマンホール鉄蓋のヒンジ装置や施錠装置の一部がある場合、それらに抵触する部分には底板部を設けなくても良い。
【０００９】
中蓋本体は、上記底板部と、そこに設けた開口部と、立ち上がり部とを有しており、底板部は、砂利や小石等の比較的微小な異物を捕捉し水を通過させる通水捕捉部を有する。通水捕捉部は、１種のフィルターの役目を果たすものであり、上記の微小な異物を捕捉できる大きさの目（メッシュ）を有し、かつそれは、開口内に流入して来る水を排水するために必要十分な大きさの流断面積を有する。この通水捕捉部を構成するものについての制限は特にはなく、板材に穿孔したものでも、編織構造を有するものでも良い。
【００１０】
底板部には、それが目詰まりした場合に下流に水を流すための開口部が設けられている。この開口部は、目詰まりという事態に立ち到って初めて排水口として機能する、と考えて良く、目詰まりにより地下構造物内に水が流入せず、路上に溢れた状態になるよりは、異物を捕捉できない状態のまま排水機能を維持しようという立場である。この開口部への排水はオーバーフロー（越流）という形態を取り、開口部において水をオーバーフローさせるために、少なくとも開口部を囲むように立ち上がり部を設ける。
【００１１】
底板部は、中央に開口部を設け、開口部の縁に沿って内側の立ち上がり部を設け、底板部の外周に沿って外側の立ち上がり部を設けることができる。この場
合、内側の立ち上がり部と外側の立ち上がり部及びそれらの間の底板部で囲まれる空間が異物を捕捉し、かつ貯溜する部分となる。なお底板部の外周を地下構造物の開口内壁に隙間なく接して取り付けることも可能なので、この場合には外側の立ち上がり部は不必要となる。内側の立ち上がり部には、前記の比較的微小な異物を捕捉し水を通過させる通水口を形成することが望ましい。
【００１２】
さらに底板部には、部分的に低く形成された段状の凹部を設けることができ、これにより底板部内に、砂利や小石等の異物の収容部が凹状に形成されることとなる。前記のオーバーフローのための開口部を設けることができる。なお、凹部を、この周囲よりも低い位置を占める凹部に、設けることにより捕捉した異物の収容量が増す。
【００１３】
このような構成を有する集塵中蓋は、集水を主目的とはするものの、集塵中蓋とは逆に落ち葉類を捕捉可能な集水口を有していて地下構造物の開口に設置する集水蓋と組み合わせることにより、集水集塵装置を構成するものとなる。この装置では、落ち葉類のように比較的粗大な異物を集水蓋で捕捉し、砂利や小石等比較的微小な異物を集塵中蓋で捕捉するとともに、常時地下構造物内に排水する機能が備わっている。よって集水蓋は落ち葉類を捕捉しつつ流水を確保し得る形態を持っていれば砂利や小石等は捕捉する必要がないので設計も容易化する。
【００１４】
【実施例】
以下図示の実施例を参照しながら本発明をより詳細に説明する。図１は、地下構造物である雨水管用マンホールに本発明を適用した例１を示しており、そこには地下構造物を形成している蓋受け枠１１と、その開口１２の部分に配置される集塵中蓋２１及び地下構造物の開口１２を閉じるマンホール鉄蓋である集水蓋１９が図示されている。
【００１５】
蓋受け枠１１は円環状の枠体であり、開口１２の内側には蓋受け部１３やフランジ部１４に伴う凹凸構造が形成されており、この凹凸構造は、集塵中蓋２１の着脱可能な取り付けのために利用される。また蓋受け枠内には、集水蓋１９をヒンジ結合するための蓋蝶番金具受け１５やステップ１６などの別の凹凸構造があって開口１２を狭ばめている。
【００１６】
集塵中蓋２１は開口内に配置して開口１２をほぼ覆える大きさの中蓋本体を具備している。例示の中蓋本体は、砂利や小石等の比較的微小な異物を捕捉し水を通過させる通水捕捉部２２を有する底板部２３を持っているが、この底板部２３は、開口内に突出した蓋蝶番金具受け１５やステップ１６などとの抵触部分には設けられず、同部分はカバー兼用の係合部２４により覆われる。
【００１７】
底板部２３は金属製板材を加工して形成し、かつ通水捕捉部２２を多数穿孔したものである。図２等に例示の底板部２３は、中央部が周囲よりも低く形成された段状の凹部２５となっており、そこにも通水捕捉部２２が形成されている。下流に水を流す開口部２６は底板部２３の中央凹部２５に開口しており、その縁に沿って開口部２６を囲む内側立ち上がり部２７が設けられている。内側立ち上がり部２７には、スリット状に通水口２８、２９が設けられており、下位の通水口２８は幅狭く、上位の通水口２９は幅広く設定され、より水を通しやすく、しかも粒径の小さい小石等をも確実に捕捉できるようになっている。さらに、底板部２３の外周に沿って外側の立ち上がり部３１が設けられ、これによって中蓋本体は全体として浅い容器状を呈する。そして内側の立ち上がり部２７の上端までの高さは、外側の立ち上がり部３１の上端までの高さとほぼ一致している。
【００１８】
このような中蓋本体には、開口内に存在している蓋受け部１３やフランジ１４に伴う前記凹凸構造を係合相手とする、係合部３２が本体外周に設けられてお
り、前述の蓋蝶番金具受け１５やステップ１６の凹凸構造に係合する係合部２４とともに、中蓋本体を蓋受け枠１１の開口内に着脱可能に取り付けられるようになっている。図３はその取り付け状態を示しており、開口１２がほぼ完全に本発明の集塵中蓋によってカバーされていることが分かる。なお、集水蓋１９には多数の集水口１８が設けられ、落ち葉類を捕捉可能としているが、蓋蝶番金具受け１５を通る直径方向の帯状領域には盲穴１７を設けて水を通さないようになっており、したがって係合部２４、２４間からも水は流入し難い。
【００１９】
よって、路上に設置されているマンホールの集水蓋１９に、図４に矢印３５で示されるように雨水が流入すると、水流とともに流れ来る落ち葉等の比較的粗大な異物３６は集水蓋面の集水口１８で捕捉され、砂利や小石等の比較的微小な異物３７は集水口１８を水流とともに通過するが、集塵中蓋の通水捕捉部２２において捕捉される。微小な異物３７は集塵中蓋２１に外周から流れ込み、次第に中央方向に運ばれ、開口部２６の周囲の内側立ち上がり部２７で堰き止められて堆積する。しかしこれらが堆積していても、水は破線矢印３８で示すように透過するので集水機能は妨げられず、さらに目詰りが進行しても越流３９により開口部２６から排水されるので依然集水機能が維持される。
【００２０】
このように本発明の集塵中蓋２１と集水蓋１９とによって、比較的粗大な異物３６と、比較的微小な異物３７とを同時並行的に捕捉し得る集水集塵装置１０を構成できることとなる。そしてさらに、この集水集塵装置１０は、集塵中蓋２１を低位置に配置したことにより、マンホール内への転落防止枠兼梯子４１を設置したまま供用することができる。図５、図６はそのための例示でもあり、転落防止枠兼梯子４１は本発明の集塵中蓋２１の上位にある軸部４２及びフランジ部１４を利用して設置され、かつまたその上から集水蓋１９を施すことができる。転落防止枠兼梯子４１の設置によって集水集塵機能が低下しないことは図示により明らかであろう。また図５、図６は凹部２５を有していない底板部２３′で構成された本発明の集塵中蓋２１′の例２でもあるけれども、他の構成は前記例１と同じで良いので、符号を援用し詳細な説明を略す。
【００２１】
【発明の効果】
本発明は以上の如く構成されかつ作用するものであるから、砂利や小石等の異物を確実に捕捉することが可能となり、仮に目詰まりを生じても開口部への越流によって雨水管系統へ水を流すことができ、かつまた落ち葉類のような比較的粗大な異物と砂利などの比較的微小な異物を同時に的確に捕捉することができる等顕著な効果を奏する。
【図面の簡単な説明】
【図１】本発明に係る地下構造物用集塵中蓋を用いた集水集塵装置の実施例１を示す分解斜視図。
【図２】（ａ）同上集塵中蓋の平面図。
（ｂ）同じく正面断面図。
（ｃ）同じく側面断面図。
【図３】図１ものの組み立て状態を示す破断斜視図。
【図４】本発明の作用を示す断面説明図。
【図５】本発明の実施例２に関する転落防止枠兼梯子を組み合わせた状態の平面図。
【図６】同じく縦断面図。
【符号の説明】
１０  集水集塵装置
１２  開口部
１８  集水口
１９  集水蓋
２１、２１′  集塵中蓋
２２  通水捕捉部
２３、２３′  底板部
２６  開口部
２７  内側の立ち上がり部
３１  外側の立ち上がり部
【図１】
2004183370.tif 000003
【図２】
2004183370.tif 000004
【図３】
2004183370.tif 000005
【図４】
2004183370.tif 000006
【図５】
2004183370.tif 000007
【図６】
2004183370.tif 000008